(57)【要約】【課題】  γ補正にソフトウエア制御を使用せず、簡単な回路構成で、複数種類のγ補正値を切換えることができる液晶表示装置を提供すること。【解決手段】  本発明の液晶表示装置１０は、  複数の行ライン及び複数の列ラインを有する液晶セル１１と、  各行ラインを駆動するゲートドライバ１７と、  各列ラインを駆動するソースドライバ１６と、  基準電圧切換回路１４から供給された基準電圧Ｖrefを抵抗分圧して複数個のＶＲ０〜ＶＲ８を発生し、前記ソースドライバのＤ／Ａ変換回路にＶＲ０〜ＶＲ８を供給するγ補正用階調基準電圧発生回路１５と、を備えており、  前記基準電圧切換回路１４は、複数のγ補正のそれぞれに対応した基準電圧Ｖrefをγ補正用階調基準電圧発生回路１５に切換供給する回路を備えている。【選択図】図１
2006337787.tif 000002
【特許請求の範囲】
【請求項１】
複数の行ライン及び複数の列ラインを有する液晶セルと、
各行ラインを駆動するゲートドライバと、
各列ラインを駆動するソースドライバと、
基準電圧供給回路から供給された基準電圧を抵抗分圧して複数個の階調基準電圧を発生し、前記ソースドライバのＤ／Ａ変換回路に階調基準電圧を供給するγ補正用階調基準電圧発生回路と、
を備えた液晶表示装置において、
前記基準電圧供給回路は、複数のγ補正のそれぞれに対応した基準電圧をγ補正用階調基準電圧発生回路に切換供給する回路を備えていることを特徴とする液晶表示装置。
【請求項２】
前記基準電圧供給回路は、定電圧源、演算増幅器、前記演算増幅器の出力端子に接続された分圧回路及び前記分圧回路の分圧比制御回路を備え、前記演算増幅器の一方の入力端子は前記定電圧源に接続され、前記演算増幅器の他方の入力端子は前記分圧回路の分圧点に接続され、前記分圧比制御回路により前記分圧点の分圧電圧を制御して前記演算増幅器の出力から基準電圧を得ることを特徴とする請求項１に記載の液晶表示装置。
【請求項３】
前記分圧比制御回路は、分圧回路の抵抗の一部を短絡状態／非短絡状態に切換えるスイッチング素子からなることを特徴とする請求項２に記載の液晶表示装置。
【請求項４】
前記分圧比制御回路は、デジタルポテンショメータからなることを特徴とする請求項２に記載の液晶表示装置。
【発明の詳細な説明】
【技術分野】
【０００１】
本発明は、γ補正回路を備えた液晶表示装置に関し、特に簡単な回路構成でありながら使用環境に応じて所定のγ補正値に切り替えることができるγ補正手段を有する液晶表示装置に関する。
【背景技術】
【０００２】
陰極線管（ＣＲＴ、ブラウン管）においては、駆動電圧Ｖと発光輝度Ｙとの間の関係は比例関係ではなく、Ｙ＝ＫＶγという関係式で表現される。この定数γをγ（ｇａｍｍａ）と呼び、わが国のテレビジョン（ＴＶ）方式においては、あらかじめこの特性を考慮しγ＝２．２として送信側で補正を行っている。送信側で元の信号に加えられたγ補正は、画像の明るさだけでなく赤・緑・青（ＲＧＢ）の割合まで変えてしまうが、受信側ではそのγ補正された信号をＣＲＴで表示すると、駆動電圧Ｖと発光強度Ｙとの関係が比例関係となって、元の色を再現できるようになっている。
【０００３】
しかしながら、特に液晶表示装置においては、駆動電圧と輝度ないし透過光量との間の関係はＣＲＴの場合とは異なるので、ＴＶ受信機用の液晶表示装置においては受信側でγ補正を行ってＣＲＴで表示した場合と同様の色が再現できるようにする必要がある。
【０００４】
一方、人間の目が表示された画像に対して違和感なく自然に感じるのは画像の信号階調レベルと輝度との関係が図７に示した理想曲線（ＴＶモードとして図示）に示すような特性であり、一般的な液晶表示パネルを使用して図７に示したような理想的な輝度−信号階調レベル特性を持つ液晶表示装置とするためには、液晶表示パネルの印加電圧と透過率との関係が一例として図８に示したような特性となっているため、たとえば図９に示したような信号階調レベルに相当するアナログ電圧を液晶表示パネルに印加する必要があることが知られている。
【０００５】
最近の液晶表示パネルを使用したＴＶ受信機のγ補正は、列駆動用ＩＣ、すなわちソースドライバ内に設けられているＤ／Ａ変換回路へ供給する階調基準電圧を制御することで行っている（下記特許文献１参照）。そこで、以下において従来の液晶表示装置の階調基準電圧発生回路について図面を用いて簡単に説明する。
【０００６】
図１０は、従来から普通に使用されている階調基準電圧発生回路１００を示す。この階調基準電圧発生回路１００は、たとえば８本の抵抗Ｒ０〜Ｒ７が直列に接続された抵抗分割回路によって図示しない定電圧源から供給されている一定の基準電圧Ｖrefを８分割し、それぞれの分割した電圧をバッファ回路１０１〜１０８により低インピーダンス化し、図７に示した理想出力曲線が得られるように任意に選択した８個の階調基準電圧ＶＲ１〜ＶＲ８（ＶＲ０も含めると９個）を得、このＶＲ０〜ＶＲ８を図示しないソースドライバのＤ／Ａ変換回路に供給するようになされている。なお、ＲＶＡＲは階調基準電圧微調整用の半固定抵抗である。
【０００７】
この階調基準電圧発生回路１００で生成する階調基準電圧は、複数個であれば任意であるが、あまり数が少ないと補正間隔が粗くなるため、通常６個以上、特に高精度補正の場合には１０個以上が使用されている。また、基準電圧Ｖrefとしては、コモン電圧Ｖcomに対して互いに反転する基準電圧あるいは反転しない基準電圧が供給される。一般に液晶表示装置は、焼き付き、あるいはフリッカを低減するために１水平ライン等の所定の水平ラインごとや１フレームごとに反転する電圧が印加されるため、反転しない基準電圧が供給される場合は、その電圧レベルは一定であるが、その電圧の反転は各ソースドライバ内部において液晶表示パネルに供給する際に行われる。
【０００８】
ところで、家庭ではノーマルなＴＶモードで映像を表示させるのが一般的であるが、たとえばＴＶ量販店では画面表示の鮮やかさを強調するためにダイナミックモードが採用されており、ＰＣやカーナビゲーション等の画像はダイナミックレンジが大きく、コントラストの高い信号が多いため、γ＝２．５程度のγ補正（ＰＣモード）が採用されており、さらには、特にシネマ等の映像信号については中間調信号成分が多いために、自然な色調で表示するためにはγ＝２．２ないしそれ以下のγ補正（シネマモード）が好ましいとされている（図７参照）。
【０００９】
したがって、たとえばＰＣのディスプレイ用に適したγ補正がなされている液晶表示装置でＴＶ等の映像を表示させると若干暗い映像となってしまう。そのため、表示すべき映像ソースごと、あるいは必要とする表示効果に応じてγ補正を変えて好みの階調表示特性にできるようにすることが要望されており、また、メーカーによってはγ補正を必要な都度自由に設定したいという要望もある。
【００１０】
このような従来のγ補正の変更は、たとえば下記特許文献２に開示されているように、各γ補正に対応したそれぞれの階調基準電圧に係る情報をメモリに蓄積させておき、選択されたγ補正に対応する情報をメモリから読み出してＤ／Ａ変換することにより所定の階調基準電圧を作成することが行われていた。しかしながら、このようなソフトウエアによるγ補正制御では、別途制御用メモリ（ＲＯＭ）を設ける必要があるため、回路が複雑となり、またコストも高くなってしまう。
【００１１】
また、上述のような図１０に示した従来の階調基準電圧発生回路１００を複数個並列に設け、要求されるγ補正によって複数個の階調基準電圧発生回路をハードウエア的に切り換えるようにすれば、一応所定のγ補正を行った高精度の画像表示が可能である。しかしながら、図１０に示した階調基準電圧発生回路１００は、抵抗分割した階調基準電圧を低インピーダンス化するためのバッファ回路１０１〜１０８等を各分圧後の配線毎に多数設けているため、要求されるγ補正によってこれらの複数個の階調基準電圧発生回路をハードウエア的に切り換えるようにすると、回路全体が極めて大きく複雑となり、しかもコスト高になるという問題点が存在している。
【特許文献１】特開２００２−２５０９０８号公報
【特許文献２】特開平１０−３３３６４８号公報
【発明の開示】
【発明が解決しようとする課題】
【００１２】
本願の発明者等は、上述のような従来技術の問題点を解決すべく種々検討を重ねた結果、図８の印加電圧−透過率曲線からして明らかなように、信号階調レベルが最大値に近い領域、すなわち透過率が最高値に近い領域では液晶セルへの印加電圧が変化しても液晶セルの透過率はあまり変化しないが、透過率が中間領域では液晶セルへの印加電圧が僅かに変化しても液晶セルの透過率は大きく変化するため、従来の階調基準電圧発生回路において階調基準電圧発生回路に供給する基準電圧Ｖrefを変化させることにより、この階調基準電圧発生回路により生成される複数個の階調基準電圧ＶＲ１〜ＶＲ８を実質的に所望のγ補正に対応した値に変化させることができることを見出し、本発明を完成するに至ったのである。
【００１３】
すなわち、本発明の目的は、γ補正にソフトウエア制御を使用せず、簡単な回路構成で、複数種類のγ補正値を切換えることができる液晶表示装置を提供することにある。
【課題を解決するための手段】
【００１４】
本発明の上記目的は以下の構成により達成し得る。すなわち、請求項１に係る液晶表示装置の発明は、
複数の行ライン及び複数の列ラインを有する液晶セルと、
各行ラインを駆動するゲートドライバと、
各列ラインを駆動するソースドライバと、
基準電圧供給回路から供給された基準電圧を抵抗分圧して複数個の階調基準電圧を発生し、前記ソースドライバのＤ／Ａ変換回路に階調基準電圧を供給するγ補正用階調基準電圧発生回路と、
を備えた液晶表示装置において、
前記基準電圧供給回路は、複数のγ補正のそれぞれに対応した基準電圧をγ補正用階調基準電圧発生回路に切換供給する回路を備えていることを特徴とする。
【００１５】
また、請求項２に係る発明は、請求項１に記載の液晶表示装置において、前記基準電圧供給回路は、定電圧源、演算増幅器、前記演算増幅器の出力端子に接続された分圧回路及び前記分圧回路の分圧比制御回路を備え、前記演算増幅器の一方の入力端子は前記定電圧源に接続され、前記演算増幅器の他方の入力端子は前記分圧回路の分圧点に接続され、前記分圧比制御回路により前記分圧点の分圧電圧を制御して前記演算増幅器の出力から基準電圧を得ることを特徴とする。
【００１６】
また、請求項３に係る発明は、請求項２に記載の液晶表示装置において、前記分圧比制御回路は、分圧回路の抵抗の一部を短絡状態／非短絡状態に切換えるスイッチング素子からなることを特徴とする。
【００１７】
また、請求項４に係る発明は、請求項２に記載の液晶表示装置において、前記分圧比制御回路は、デジタルポテンショメータからなることを特徴とする。
【発明の効果】
【００１８】
本発明は、上記の構成を備えることにより、以下に述べるような優れた効果を奏する。すなわち、請求項１の発明によれば、単にγ補正用階調基準電圧発生回路に供給する基準電圧を変更するという簡単な構成により所望の基準電圧を発生させることができるから、所望のγ補正された画像表示が可能な液晶表示装置を得ることができる。
【００１９】
また、請求項２の発明によれば、従来の電源安定化回路を利用した簡単な構成により所望のγ補正に対応した基準電圧を得ることができる。
【００２０】
また、請求項３の発明によれば、スイッチング素子のｏｎ／ｏｆｆにより容易に分圧抵抗の一部を短絡状態／非短絡状態に変えることができるので、分圧比を２つの値の間で変化させて２つの基準電圧を得ることができる。また、分圧比制御回路を複数個直列に接続すれば、さらに多くのγ補正用の基準電圧を得ることが可能となる。
【００２１】
さらに、請求項４の発明によれば、精度よく多段階に分圧比を変えることができるため、多くのγ補正用基準電圧を得ることが可能となる。
【発明を実施するための最良の形態】
【００２２】
以下、本発明を実施するための最良の形態を実施例及び図面を用いて詳細に説明するが以下に述べた実施例は、本発明の技術思想を具体化するための液晶表示装置の一例を例示するものであって、本発明をこの実施例に特定することを意図するものではなく、本発明は特許請求の範囲に示した技術思想を逸脱することなく種々の変更を行ったものにも均しく適用し得るものである。なお、図１は、本発明の液晶表示装置の概略構成を示すブロック図であり、図２はソースドライバの概略構成を示すブロック図であり、図３はγ補正用階調基準電圧発生回路及びＤ／Ａ変換回路の一具体例の回路図であり、図４は本発明によるγ補正の原理を示す信号階調レベルと輝度相対値との関係を示す図であり、図５は実施例の基準電圧供給回路図であり、さらに、図６はデジタルポテンショメータを使用した基準電圧供給回路図である。また、図１０に示した従来の階調基準電圧発生回路と同一の構成部分には同一の参照符号を付与して説明する。
【実施例】
【００２３】
図１において、本実施例の液晶表示装置１０は、液晶表示パネル１１、制御用集積回路１２、電源供給用集積回路１３、基準電圧供給回路１４、基準電圧発生回路１５、複数個のソースドライバ１６及びゲートドライバ１７を備えている。
【００２４】
制御用集積回路１２は、図示しない入力インタフェースを介して、コンピュータ、テレビジョン装置、ビデオ再生装置、ＤＶＤ（Digital Versatile Disk）再生装置等から送られてきたデータイネーブル信号ＤＥ、たとえばＲＧＢ各８ビットのデジタル画素データＩＲＤ、ＩＧＤ、ＩＢＤ、クロック信号ＤＯＴＣＬ、垂直同期信号ＶＳＹＮ、水平同期信号ＨＳＹＮ等を取り込んでデジタル的に信号処理し、デジタルＲＧＢ出力信号ＤＲ、ＤＧ、ＤＢをソースドライバ１６へ供給し、クロックパルスＣＰＶを電源供給用集積回路１３及びゲートドライバ１７へ供給するとともに、フレーム信号（スタートパルス）ＦＬＭもゲートドライバ１７へ供給する。
【００２５】
電源供給用集積回路１３は、供給された電源電圧ＶＩＮ（たとえば１２Ｖ）を基に、液晶表示装置１０内で使用される各種の電圧、たとえば、制御用集積回路１２、ソースドライバ１６及びゲートドライバ１７の駆動用電圧ＶＤＤ、基準電圧供給回路１４へ供給する基準電圧Ｖ０、ソースドライバ１６を介して液晶表示パネル１１の列ライン１８に印加するための電圧ＶＧＥＮ、ゲートドライバ１７を介して液晶表示パネル１１の行ライン１９に印加するための電圧ＶＧＨ及びＶＧＬ、液晶表示パネル１１の共通電極に印加するための電圧Ｖｃｏｍを生成する。
【００２６】
ソースドライバ１６は、図２に示すように、３ビットラッチ２１、シフトレジスタ２２、サンプリングメモリ２３、ホールドメモリ２４、レベルシフタ２５、Ｄ／Ａ変換回路２６、出力バッファ２７を備えている。
【００２７】
制御用集積回路１２からソースドライバ１６へ入力されたデジタル化されたＲＧＢの各８ビットの表示信号ＤＲ、ＤＧ、ＤＢは、ラッチ２１において時分割で内部にラッチされ、サンプリングメモリ２３、ホールドメモリ２４、レベルシフタ２５を経て、水平同期信号ＨＳＹＮに同期して発生される水平スタートパルスＳＰに基づいて、γ補正用階調基準電圧発生回路１５からの基準電圧を基に、Ｄ／Ａ変換回路２６によりＤ／Ａ変換を行うことにより階調表示用のγ補正されたアナログ電圧（階調表示電圧）を発生し、出力バッファ２７を経て液晶表示パネル１１のＹ１〜Ｙｎからなるｎ本の信号線（列ライン）１８に供給される。
【００２８】
また、制御用集積回路１２からゲートドライバ１７へ供給された垂直同期信号ＶＳＹＮに同期して発生されるゲートドライバ用クロック信号ＣＰＶやゲートスタートパルスＦＬＭは、ゲートドライバ１７により処理されて走査信号を液晶表示パネル１１のＸ１〜Ｘｍからなるｍ本の走査線（行ライン）１９に供給される。
【００２９】
なお、この場合、γ補正用階調基準電圧発生回路１５は一つのソースドライバ１６に一つ設けられて共有され、Ｄ／Ａ変換回路２６はソースドライバの各信号線１８ごとに設けられる。また、これらソースドライバ１６及びゲートドライバ１７内の具体的な信号処理に関しては、既に周知（上記特許文献１参照）であるので、その詳細な説明は省略する。
【００３０】
このようにして、本実施例においては、ソースドライバ１６において、液晶表示パネル１１の信号線１８に印加する階調表示用電圧をアナログ電圧に変換することにより、液晶表示パネル１１の光透過率がＲＧＢの各画素に対して８ビット、すなわち２５６段階の階調表示ができるようにしている。
【００３１】
この場合、基準電圧供給回路１４から供給された基準電圧Ｖrefによりγ補正用階調基準電圧発生回路１５において生成された階調基準電圧ＶＲ０〜ＶＲ８に基づいてＤ／Ａ変換回路２６により階調表示用のアナログ電圧を得る際に所定のγ補正が行われるが、そのγ補正用階調基準電圧発生回路１５及びＤ／Ａ変換回路２６の一具体例を図３を用いて説明する。
【００３２】
この実施例における階調基準電圧発生回路１５自体は、図１０に示した従来のγ補正用階調基準電圧発生回路１００と同様に、たとえば８本の抵抗Ｒ０〜Ｒ８を直列接続した分圧回路であり、ここでは基準電圧Ｖrefを基に８分割して階調基準電圧ＶＲ０〜ＶＲ８を生成するようにしている。そして、Ｄ／Ａ変換回路２６は、階調基準電圧ＶＲ０〜ＶＲ８を基にＤ／Ａ変換回路２６内でそれぞれ隣り合う基準電圧間で３２等分して８ビット分、すなわちＶ０〜Ｖ２５５の２５６通りの電圧を生成し、この２５６通りの電圧からＤ／Ａ変換回路２６に入力されたデジタルＲ、Ｇ、Ｂ信号ＤＲ、ＤＧないしＤＢに対応する一つを選択して出力する。このＤ／Ａ変換回路２６で選択されたアナログ電圧は、出力バッファ２７を介して、γ補正されたアナログ画像データ信号として液晶表示パネル１１のＹ１〜Ｙｎからなるｎ本の信号線１８に供給される。
【００３３】
ここで、階調基準電圧発生回路１５に供給される基準電圧Ｖrefを変えるのみで実質的に所望のγ補正が可能な根拠について説明する。図３に示した階調基準電圧発生回路１５においては、階調基準電圧発生回路１５に供給する基準電圧Ｖrefを変化させると全ての階調基準電圧ＶＲ０〜ＶＲ８は同じ方向に変化する。しかしながら、輝度が最高値に近い範囲では、最高輝度に対応する階調基準電圧ＶＲ８が変化しても、それによる実輝度の変化は人の目には認識できないために、輝度相対値（図７参照）は１００％のままと見なせるが、中間輝度の範囲では、階調基準電圧の変化が僅かであっても液晶セルの透過率は大きく変化するため、輝度の相対値は大きく変化することとなる。
【００３４】
例えば、図８の液晶セルの透過率Ｔと印加電圧Ｖとの関係を表す曲線において、Ａ点（Ｖ＝６．３Ｖ、Ｔ＝約８２％）が階調レベル２５５（輝度相対値１００％）に対応するものとしたときの所定のγ補正曲線が図４の実線で表される場合、印加電圧が例としてＡ点の電圧の２／３の電圧であるａ点（Ｖ＝４．２Ｖ、Ｔ＝約３５％）の輝度相対値（（３５／８２）×１００＝４３％）に対応する階調レベルは約１７０である。ここで、階調レベル２５５（輝度相対値１００％）に対応する階調基準電圧をＢ点（Ｖ＝６．０Ｖ、Ｔ＝約８０％）に変更すると、このときのＢ点の電圧の２／３の電圧であるｂ点（Ｖ＝４．０Ｖ、Ｔ＝約２８％）に対応する輝度相対値は（２８／８０）×１００＝３５％となるから、図４において輝度相対値３５％と階調レベル１７０の交点としてｂ点が定まる。このようにして階調基準電圧発生回路１５に供給する基準電圧Ｖrefを６．３Ｖから６．０Ｖに変更すると、図４の一点鎖線で表されるγ補正曲線が得られる。
【００３５】
同様にして、階調レベル２５５（輝度相対値１００％）に対応する階調基準電圧をＣ点（Ｖ＝６．６Ｖ、Ｔ＝約８３％）に変更すると、このときのｃ点の電圧の２／３の電圧であるｃ点（Ｖ＝４．６Ｖ、Ｔ＝約４１％）に対応する輝度相対値は（４１／８３）×１００＝４９％となるから、図４において輝度相対値４９％と階調レベル１７０の交点としてｃ点が定まる。このようにして、階調基準電圧発生回路１５に供給する基準電圧Ｖrefを６．３Ｖから６．６Ｖに変更すると、図４の鎖線で表されるγ補正曲線が得られる。このようにして、階調基準電圧発生回路に供給する基準電圧を外部から変化させることにより実質的に異なるγ補正に対応する階調基準電圧を提供することができるようになるわけである。
【００３６】
このような基準電圧供給回路１４から供給された基準電圧Ｖrefは切換によっても常に安定した一定の電圧が得られる必要があり、しかも、ノイズが乗らないようにするために外部から電気的に切り換えられるようにする必要があるため、この実施例における基準電圧供給回路１４としては図５に示した回路を採用した。
【００３７】
この基準電圧供給回路１４は、演算増幅器３０、スイッチングトランジスタ３１及び演算増幅器３０の出力端子に接続された抵抗Ｒａ及びＲｂの直列回路からなる分圧回路、及び、スイッチングトランジスタ３１に直列に接続された抵抗Ｒｃとを有している。そして、演算増幅器３０の一方の入力端子には電源供給用集積回路１３より供給された定電圧Ｖ０が供給され、他方の入力端子には分圧回路の分圧点に接続されている。また、スイッチングトランジスタ３１及び抵抗Ｒｃの直列回路は分圧抵抗の一方、すなわち抵抗Ｒｂに並列に接続されている。
【００３８】
この基準電圧供給回路１４のスイッチングトランジスタ３１及び抵抗Ｒｃの直列回路を除外した部分は、定電圧回路として周知のものである。すなわち、外部からのγ制御切換用電圧γctrlによってスイッチングトランジスタ３１がｏｆｆ状態とされると、基準電圧供給回路１４の出力電圧Ｖref１は下記（１）式で表される電圧となる。
【００３９】
Ｖref１＝Ｖ０・（Ｒａ＋Ｒｂ）／Ｒｂ                                  （１）
また、スイッチングトランジスタ３１がｏｎ状態とされると、基準電圧供給回路１４の出力電圧Ｖref２は下記（２）式で表される電圧となる（ただし、スイッチングトランジスタ３１のｏｎ抵抗は無視する）。
【００４０】
Ｖref２＝Ｖ０・（Ｒａ・Ｒｂ＋Ｒｂ・Ｒｃ＋Ｒｃ・Ｒａ）／Ｒｂ・Ｒｃ    （２）
したがって、予めＲａ、Ｒｂ及びＲｃの関係を適切に定めておけば、外部からのγ制御切換用電圧γctrlによって、基準電圧供給回路１４から得られる基準電圧ＶrefをＶref１とＶref２との間で切り換えることができ、その基準電圧供給回路１４の基準電圧Ｖrefに応じたγ補正が可能となる。
【００４１】
なお、図５に示した基準電圧供給回路１４は、基準電圧Ｖrefを２値間で切換える回路であるが、この分圧抵抗Ｒｂに並列にスイッチングトランジスタ３１及び抵抗Ｒｃからなる直列回路を接続したものを複数個使用することにより、基準電圧Ｖrefを多値間で切り換えられるようにすることもでき、当業者が必要とするγ補正の数に応じて適宜選択すればよい。
【００４２】
また、基準電圧供給回路１４における基準電圧Ｖrefを切換える回路としては、図６に示したように、周知のデジタルポテンショメータを用いてデジタル的に切換えるようにすることもできる。すなわち、図６に示した基準電圧供給回路１４’は、図５に示した基準電圧切換回路１４において、スイッチングトランジスタ３１及び抵抗Ｒｃを省略すると共に分圧抵抗Ｒａ及びＲｂの間にデジタルポテンショメータ３２を直列に配置したものである。この場合、外部からのγ制御切換用電圧γctrlはデジタル値で入力され、これによってデジタルポテンショメータ３２において所定の分圧比が選択されて所望の数の基準電圧Ｖrefを得ることができるようになる。
【００４３】
また、本実施例では、Ｄ／Ａ変換回路として分解能が８ビット＝２５６階調のものを使用したが、必要に応じてより分解能が高いものを使用しても、より分解能が低いものを使用してもよく、当業者が適宜に定めればよい。さらに、本実施例では階調基準電圧発生回路１５としてＶＲ０〜ＶＲ８を発生するものを示したが、さらに多くの階調基準電圧を発生するものを使用してもよい。
【図面の簡単な説明】
【００４４】
【図１】液晶表示装置の概略構成を示すブロック図である。
【図２】ソースドライバの概略構成を示すブロック図である。
【図３】γ補正用階調基準電圧発生回路及びＤ／Ａ変換回路の一具体例の回路図である。
【図４】本発明によるγ補正の原理を示す信号階調レベルと輝度相対値との関係を示す図である。
【図５】実施例の基準電圧切換回路図である。
【図６】デジタルポテンショメータを使用した基準電圧切換回路図である。
【図７】画像の信号階調レベルと輝度との関係を示す図である。
【図８】液晶表示パネルの印加電圧と透過率との関係を示す図である。
【図９】図７の理想曲線を得るための信号階調レベルと液晶表示パネルに印加するアナログ電圧との関係を示す図である。
【図１０】従来の階調基準電圧発生回路図である。
【符号の説明】
【００４５】
１０    液晶表示装置
１１    液晶表示パネル
１２    制御用集積回路
１３    電源供給用集積回路
１４    基準電圧切換回路
１５    γ補正用階調基準電圧発生回路
１６    ソースドライバ
１７    ゲートドライバ
２１    ３ビットラッチ
２２    シフトレジスタ
２３    サンプリングメモリ
２４    ホールドメモリ
２５    レベルシフタ
２６    Ｄ／Ａ変換回路
２７    出力バッファ
３０    演算増幅器
３１    スイッチングトランジスタ
３２    デジタルポテンショメータ
【図１】
2006337787.tif 000003
【図２】
2006337787.tif 000004
【図３】
2006337787.tif 000005
【図４】
2006337787.tif 000006
【図５】
2006337787.tif 000007
【図６】
2006337787.tif 000008
【図７】
2006337787.tif 000009
【図８】
2006337787.tif 000010
【図９】
2006337787.tif 000011
【図１０】
2006337787.tif 000012